(57)【要約】【課題】  金属を骨材とする場合の長所を生かし、量産効果、組立作業の簡便さを実現するとともに、事後的な変更組み換え、つまり、解体から再編成にまで、遊技場スペースの広さ、形状に応じて、簡便、迅速な対応が可能であって、遊技機の異なる機種や寸法に対応しての位置調整や固定が容易ともされる、新しい遊技島構造を提供する。【解決手段】  複数の遊技機の配置部とその下方の腰下部とを備えた遊技島において、その島骨格がメタルフレーム体として構成され、メタルフレーム体に装着するパネル体とにより、遊技機の配置位置や配置パターンが調整自在とされている。【選択図】  図１
2011224322.tif 000002
【特許請求の範囲】
【請求項１】
複数の遊技機の配置部とその下方の腰下部とを備えた遊技島において、その島骨格がメタルフレーム体として構成され、メタルフレーム体に装着するパネル体とにより、遊技機の配置位置や配置パターンが調整自在とされていることを特徴とする遊技島構造。
【請求項２】
遊技島の幅（横）方向において、隣接する遊技機間に設けられた隙間が着脱自在なパネル体の係合により覆われていることを特徴とする請求項１に記載の遊技島構造。
【発明の詳細な説明】
【技術分野】
【０００１】
本発明は、パチンコ台やパチスロ台の遊技機取り付け用の島構造に関するものである。
【背景技術】
【０００２】
従来より、パチンコ台やパチスロ台等の遊技機を取り付けるための島構造については様
々な工夫、改良が施されてきており、また、さらなる改善も試みられている。
【０００３】
例えば、機種の異なる遊技機に対しても対応可能とし、これらを設置する島の幅、長さの変更にも対応できるように、高さ方向に互いに分割可能なように、遊技機設置の島柱ユニットと、その上部ユニット、そして、腰下ユニットによって島構造を形成するとともいに、これら各々のユニットを幅（長さ）方向に移動可能とし、ユニット化によって造り置きを容易としたもの（例えば特許文献１）が提案されている。
【０００４】
また、異種の遊技台を任意に搭載可能とするために、高さ方向において介装部材を介在させること（特許文献２）などが提案されている。ただ、これまでの改良、工夫は、そのほとんどが木材を用いて島構造の骨格を形成し、また、木質板材を用いた化粧等を施すことを前提としていた。このため、島構造の形成そのものにおいて釘打ち固定や寸法調整のための切断の作業は大きな負担となっていた。しかも、さらに問題となっていたことは、事後的な組み換えは大変に困難であって、分解から、島構造の再編成のための作業は極めて大きな負担となり、職人的な高度の技能を求められていた。遊技場としてのスペースの
大きさや平面形状の変更に応じて、パチンコ台やパチスロ台等の複数種の遊技機の組合わせ取付けが、従来のような高度技能の職人芸に過度に依存することは簡便迅速に、低コストで実現することのできる新しい島構造の形成が望まれていた。
【０００５】
一方、木材による骨格形成ではなしに、金属骨材を用いることが提案されてもいる（例えば、特許文献３）。そしてこの金属骨格においては、遊技機を取付ける枠の支柱に複数の深さのネジ溝を設け、このネジ溝の選択によって島の幅（長さ）方向での遊技機の設置位置の調整を容易となるようにもしている。
【０００６】
しかしながら、これまでの金属骨格による島構造の提案では、均一部材による量産性、組立て作業の効率性の面だけが考慮されており、事後的な変更組み換えへの対応は十分でなく、また、支柱による幅（長さ）調整もわずかな自由度しかないため、例えば、異種の遊技機の組合わせによる位置調整の自在性は乏しいのが実状であった。このため、金属骨格による島構造として実際的なものは乏しく、金属材が用いられているとしても木質材との組合わせの一部にすぎないものであった。
【先行技術文献】
【特許文献】
【０００７】
【特許文献１】特開２００６−２０４８７８号公報
【特許文献２】特開２００８−１３２１２２号公報
【特許文献３】特開２００３−６２３０６号公報
【発明の概要】
【発明が解決しようとする課題】
【０００８】
本発明は、以上のとおりの背景から、金属を骨材とする場合の長所を生かし、量産効果、組立作業の簡便さを実現するとともに、事後的な変更組み換え、つまり、解体から再編成にまで、遊技場スペースの広さ、形状に応じて、簡便、迅速な対応が可能であって、遊技機の異なる機種や寸法に対応しての位置調整や固定が容易ともされる、新しい遊技島構造を提供することを課題としている。
【課題を解決するための手段】
【０００９】
本発明の遊技機島構造は、前記課題を解決するために、以下のことを特徴としている。
【００１０】
第１：複数の遊技機の配置部とその下方の腰下部とを備えた遊技島において、その島骨格がメタルフレーム体として構成され、メタルフレーム体に装着するパネル体とにより、遊技機の配置位置や配置パターンが調整自在とされている。
【００１１】
第２：前記構造での遊技島の幅（横）方向において、隣接する遊技機間に設けられた隙間が着脱自在なパネル体の係合により覆われている。
【発明の効果】
【００１２】
以上のとおりの本発明によれば、金属を骨材とする場合の長所を生かし、量産効果、組立作業の簡便さを実現するとともに、事後的な変更組み換え、つまり、解体から再編成にまで、遊技場スペースの広さ、形状に応じて、簡便、迅速な対応が可能であって、遊技機の異なる機種や寸法に対応しての位置調整や固定が容易ともされる。
【図面の簡単な説明】
【００１３】
【図１】島骨格の一部を例示した正面図である。
【図２】ユニットモジュールの例を示した正面図（Ａ）と側面図（Ｂ）である。
【図３】図１に対応する平面図である。
【図４】島構造の形成について例示した概要斜視図である。
【図５】図４とは別の概要斜視図である。
【図６】覆いパネル体の下端部での係合構造について例示した要部斜視図である。
【発明を実施するための形態】
【００１４】
本発明の実施の形態について以下に説明する。
【００１５】
図１は、本発明の遊技島構造について、島骨格の一部を示した正面図である。例えば、この図１に示したように、遊技島構造においては、遊技機、例えばパチンコ台やパチスロ台等の配置部１と、その下方の腰下部２、さらには幕板部３とが設けられる。
【００１６】
この島構造では、骨格の一部としての支柱４が、スチールやアルミ製等のメタルにより構成される。また、遊技機配置部１におけるスペース５においては、遊技機の上端部を支持する上部支持板６とその下端部を支持する下部支持板部７とが配置される。ここでの上部支持板部６並びに下部支持板部７についてもメタルにより構成することができる。
【００１７】
また、下部支持板部７は、膳板８と組合わされる。そして幕板部３においては、開閉可能とされた幕板９が配置される。
【００１８】
島骨格を構成する支柱４などについては、図２（Ａ）（Ｂ）の正面図と側面図に例示したユニットモジュールとして構成することができる。支柱４は、遊技機配置部１に相当する中央支柱４１と、腰下部２に相当する下方支柱４２、そして幕板部３に相当する上方支柱４３により、いずれもメタルフレームとして構成することができる。これらの支柱は、横フレーム群によって枠状体にすることができる。例えば、前記の上部支持板部６での横フレーム６１、下部支持板部７での横フレーム７１、基礎部横フレーム１０や頂部横フレーム１１などのメタル横フレームとの組立とすることができる。
【００１９】
例えば以上のようなメタルフレーム体としてのユニットモジュールをもっての遊技島の形成では、図１に対応する図３の平面図に例示したように、支柱４を介してユニットモジュールが所定の数だけ横（幅）方向に連接された構造とすることができ、また、前面（Ａ）での連接と背面（Ｂ）での連接とを、仕切り板部１２をもって前後の位置に組立配置する。この仕切り板部１２もメタル製とすることができる。
【００２０】
例えば以上のようなユニットモジュールの連接や仕切り板部１２を介しての前後位置の組立などによるメタルフレーム体としての島骨格の構成において、本発明の島構造では、メタルフレーム体とこれに装着するパネル体とにより、遊技機の配置位置や配置パターンが調整自在とされているようにする。
【００２１】
すなわち、遊技島の幅（横）方向において、例えば図３に例示した支柱４の間の寸法（Ｗ）内で隣接する遊技機間に設けられた隙間（Ｌ）が着脱自在なパネル体の係合により覆われるようにする。隙間（Ｌ）を設けておくことは、例えば幅サイズの異なるパチンコ台の並設や、あるいは、パチンコ台とパチスロ台等の異種遊技機の同一島内への配置を自在とし、設計、施工の自由度を大きなものとする。そして、この隙間（Ｌ）は、必要に応じて、所要の寸法としたパネル体の配置で覆うことができるようにする。このような島構造の形成についてその概要を例示したものが図４、図５である。
【００２２】
中央支柱４１、下方支柱４２、上方支柱４３、そして横フレーム６１、７１、頂部横フレーム１１、更には仕切り板部１２などによりメタルフレームとして構成される島骨格において、前記の隙間（Ｌ）を必要に応じて覆うことのできるメタル覆いパネル体１３が配設され、このものは着脱自在とされる。この覆いパネル体１３については、例えば図５にも例示したように、その上端を上部支持板部６の横フレーム６１に係合させ、その下端を下部支持板部７の横フレーム７１に対して図中の矢印α方向より押込むことで係合させる。上下端での係合については様々な形態であってよい。例えば、図６に例示したように、下部支持板部７の横フレーム７１に、切り起こし片部７１１を形成し、この切り起こし片部７１１に対して、覆いパネル体１３の下端部での折り曲げ開口部１３１を挿入して、前記切り起こし片部７１１の屈曲部７１１により抜け止めされて係合する構造とすることができる。押込み方向αとは逆に手前側に強く引くとこの係合は解除されて覆いパネル体は脱着されることになる。覆いパネル体１３の取付け装着、そしてその脱着はワンタッチで可能とされる。
【００２３】
本発明の島構造については、以上のようにメタル骨材とする場合の長所を生かし、量産効果、組立作業の簡便さを実現するとともに、事後的な変更組み換え、つまり、解体から再編成にまで、遊技場スペースの広さ、形状に応じて、簡便、迅速な対応が可能であって、遊技機の異なる機種や寸法に対応しての位置調整が容易とされる。
【００２４】
もちろん、本発明は以上の例示に限定されるものでなく、その細部の形態において様々
に可能であることは言うまでもない。
【００２５】
また、以上の説明においてはメタルフレーム体の支柱や様々なパネルの接続について詳述していないが、ボルト・ナット締結などによって簡便に組立、解体可能であることは言うまでもない。ユニットモジュールの設計、加工においても通常の手段、方法として一般作業も可能である。
【符号の説明】
【００２６】
１    遊技機の配置部
２    腰下部
３    幕板部
４    支柱
４１    中央支柱
４２    下方支柱
４３    上方支柱
５    配置スペース
６    上部支持板部
６１    横フレーム
７    下部支持板部
７１    横フレーム
７１１  切り起こし片部
８    膳板
９    幕板
１０    基礎部横フレーム
１１    頂部横フレーム
１２    仕切り板部
１３    覆いパネル体
１３１    折り曲げ開口部
【図１】
2011224322.tif 000003
【図２】
2011224322.tif 000004
【図３】
2011224322.tif 000005
【図４】
2011224322.tif 000006
【図５】
2011224322.tif 000007
【図６】
2011224322.tif 000008